(57)【要約】      （修正有）【課題】ＲＦＩＤ等の無線タグを用いて看護業務の管理を容易に行なうことが可能なナースコールシステムを提供する。【解決手段】ナースコール子機１は医療・看護従事者により携帯された携帯情報端末４が有する無線タグに予め記憶されている端末ＩＤを読取る子機データ読取部１３と、子機データ読取部にて読取られた端末ＩＤを自子機が有する子機ＩＤとともに制御機に送出する子機ＣＰＵ１５とを備えている。制御機は、携帯情報端末４を携帯した医療・看護従事者が有する医療・看護従事者識別ＩＤに対応させた端末ＩＤ、子機ＩＤに対応する被看護人識別ＩＤが記憶される制御機記憶部と、ナースコール子機１の子機ＣＰＵ１５から伝送されてくる端末ＩＤ及び子機ＩＤを受信し、子機ＩＤに割当てられた被看護人識別ＩＤを端末ＩＤに割当てられた医療・看護従事者識別ＩＤに対応させて医療・看護従事者による巡視記録として制御機記憶部に保存する。【選択図】図２
2014087524.tif 000002
【特許請求の範囲】
【請求項１】
医療・看護施設内の複数の部屋の病床毎に設置され被看護人が医療・看護従事者を呼出して通話を成立させるナースコール子機と、スタッフステーション等の施設内共用部に設置され前記ナースコール子機を用いた前記被看護人からの呼出しに前記医療・看護従事者が応答して通話を成立させるナースコール親機と、前記ナースコール子機及び前記ナースコール親機を制御する制御機とを有するナースコールシステムであって、
前記ナースコール子機は、前記施設内を移動中の前記医療・看護従事者により携帯された携帯情報端末が有する無線タグに予め記憶されている端末ＩＤを読取る子機データ読取部と、前記子機データ読取部にて読取られた前記端末ＩＤを自子機が有する子機ＩＤとともに前記制御機に送出する子機ＣＰＵとを備え、
前記制御機は、前記携帯情報端末を携帯した前記医療・看護従事者が有する医療・看護従事者識別ＩＤに対応させた前記端末ＩＤ、前記子機ＩＤに対応する被看護人識別ＩＤが記憶される制御機記憶部と、前記ナースコール子機の前記子機ＣＰＵから伝送されてくる前記端末ＩＤ及び前記子機ＩＤを受信し、前記子機ＩＤに割当てられた前記被看護人識別ＩＤを前記端末ＩＤに割当てられた前記医療・看護従事者識別ＩＤに対応させて前記医療・看護従事者による巡視記録として前記制御機記憶部に保存する制御機ＣＰＵとを備えることを特徴とするナースコールシステム。
【請求項２】
医療・看護施設内の複数の部屋の病床毎に設置され被看護人が医療・看護従事者を呼出して通話を成立させるナースコール子機と、スタッフステーション等の施設内共用部に設置され前記ナースコール子機を用いた前記被看護人からの呼出しに前記医療・看護従事者が応答して通話を成立させるナースコール親機と、前記ナースコール子機及び前記ナースコール親機を制御する制御機３とを有するナースコールシステムであって、
前記ナースコール子機は、子機ＩＤが予め記憶された無線タグを備え、
前記携帯情報端末は、前記ナースコール子機の前記無線タグに予め記憶されている前記子機ＩＤを読取る端末データ読取部と、前記端末データ読取部にて読取られた前記子機ＩＤを自端末が有する端末ＩＤとともに前記制御機に送出する端末ＣＰＵとを備え、
前記制御機は、前記携帯情報端末を携帯した前記医療・看護従事者が有する医療・看護従事者識別ＩＤに対応させた前記端末ＩＤ、前記子機ＩＤに対応する被看護人識別ＩＤが記憶される制御機記憶部と、前記携帯情報端末の前記端末ＣＰＵから伝送されてくる前記端末ＩＤ及び前記子機ＩＤを受信し、前記子機ＩＤに割当てられた前記被看護人識別ＩＤを前記端末ＩＤに割当てられた前記医療・看護従事者識別ＩＤに対応させて前記医療・看護従事者による巡視記録として前記制御機記憶部に保存する制御機ＣＰＵとを備えることを特徴とするナースコールシステム。
【請求項３】
前記制御機の前記制御機ＣＰＵは、前記ナースコール子機を用いた前記被看護人からの呼出状態時に前記端末ＩＤ及び前記子機ＩＤを受信したとき、前記呼出状態を待受状態に復旧させることを特徴とする請求項１または請求項２記載のナースコールシステム。
【請求項４】
医療・看護施設内の複数の部屋の病床毎に設置され被看護人が医療・看護従事者を呼出して通話を成立させるナースコール子機と、前記部屋毎の出入り口に設置され前記ナースコール子機を用いた前記被看護人からの呼出しを報知する廊下灯と、スタッフステーション等の施設内共用部に設置され前記ナースコール子機を用いた前記被看護人からの呼出しに前記医療・看護従事者が応答して通話を成立させるナースコール親機と、前記ナースコール子機、前記廊下灯及び前記ナースコール親機を制御する制御機とを有するナースコールシステムであって、
前記廊下灯は、前記施設内を移動中の前記医療・看護従事者により携帯された携帯情報端末が有する無線タグに予め記憶されている端末ＩＤを読取る廊下灯データ読取部と、前記廊下灯データ読取部にて読取られた前記端末ＩＤを自廊下灯が有する廊下灯ＩＤとともに前記制御機に送出する廊下灯ＣＰＵとを備え、
前記制御機は、前記携帯情報端末を携帯した前記医療・看護従事者が有する医療・看護従事者識別ＩＤに対応させた前記端末ＩＤ、前記廊下灯ＩＤに対応する被看護人識別ＩＤが記憶される制御機記憶部と、前記携帯情報端末の前記端末ＣＰＵから伝送されてくる前記端末ＩＤ及び前記廊下灯ＩＤを受信し、前記廊下灯ＩＤに割当てられた前記被看護人識別ＩＤを前記端末ＩＤに割当てられた前記医療・看護従事者識別ＩＤに対応させて前記医療・看護従事者による巡視記録として前記制御機記憶部に保存する制御機ＣＰＵとを備えることを特徴とするナースコールシステム。
【請求項５】
医療・看護施設内の複数の部屋の病床毎に設置され被看護人が医療・看護従事者を呼出して通話を成立させるナースコール子機と、前記部屋毎の出入り口に設置され前記ナースコール子機を用いた前記被看護人からの呼出しを報知する廊下灯と、スタッフステーション等の施設内共用部に設置され前記ナースコール子機を用いた前記被看護人からの呼出しに前記医療・看護従事者が応答して通話を成立させるナースコール親機と、前記ナースコール子機、前記廊下灯及び前記ナースコール親機を制御する制御機とを有するナースコールシステムであって、
前記廊下灯は、廊下灯ＩＤが予め記憶された無線タグを備え、
前記携帯情報端末は、前記廊下灯の前記無線タグに予め記憶されている前記廊下灯ＩＤを読取る端末データ読取部と、前記端末データ読取部にて読取られた前記廊下灯ＩＤを自端末が有する端末ＩＤとともに前記制御機に送出する端末ＣＰＵとを備え、
前記制御機は、前記携帯情報端末を携帯した前記医療・看護従事者が有する医療・看護従事者識別ＩＤに対応させた前記端末ＩＤ、前記廊下灯ＩＤに対応する被看護人識別ＩＤが記憶される制御機記憶部と、前記携帯情報端末の前記端末ＣＰＵから伝送されてくる前記端末ＩＤ及び前記廊下灯ＩＤを受信し、前記廊下灯ＩＤに割当てられた前記被看護人識別ＩＤを前記端末ＩＤに割当てられた前記医療・看護従事者識別ＩＤに対応させて前記医療・看護従事者による巡視記録として前記制御機記憶部に保存する制御機ＣＰＵとを備えることを特徴とするナースコールシステム。
【請求項６】
前記制御機の前記制御機ＣＰＵは、前記ナースコール子機を用いた前記被看護人からの呼出状態時に前記端末ＩＤ及び前記廊下灯ＩＤを受信したとき、前記廊下灯ＩＤの廊下灯に接続された全ての前記ナースコール子機の前記呼出状態を待受状態に復旧させることを特徴とする請求項４または請求項５記載のナースコールシステム。
【請求項７】
前記制御機の前記制御機記憶部は、電子カルテ保存機能を有し、前記医療・看護従事者による前記被看護人への処置内容や処置時刻等の看護処置情報を保存することを特徴とする請求項１乃至請求項６のうち何れか１項記載のナースコールシステム。
【請求項８】
前記看護処置情報は、前記制御機の前記制御機記憶部に代えてサーバに保存されることを特徴とする請求項７記載のナースコールシステム。
【請求項９】
医療・看護施設内の複数の部屋の病床毎に設置され被看護人が医療・看護従事者を呼出して通話を成立させるナースコール子機と、スタッフステーション等の施設内共用部に設置され前記ナースコール子機を用いた前記被看護人からの呼出しに前記医療・看護従事者が応答して通話を成立させるナースコール親機と、前記病床毎に設置され前記被看護人の治療情報や施設案内等の被看護人用閲覧情報を表示する情報表示機と、前記情報表示機を制御するサーバと、前記ナースコール子機、前記ナースコール親機及び前記サーバを制御する制御機とを有するナースコールシステムであって、
前記情報表示機は、前記施設内を移動中の前記看護人／医療・看護従事者により携帯された携帯情報端末が有する無線タグに予め記憶されている端末ＩＤを読取る表示機データ読取部と、前記表示機データ読取部にて読取られた前記端末ＩＤを自表示機が有する表示機ＩＤとともに前記サーバに送出する表示機ＣＰＵとを備え、
前記制御機は、前記携帯情報端末を携帯した前記医療・看護従事者が有する医療・看護従事者識別ＩＤに対応させた前記端末ＩＤ、前記子機ＩＤに対応する被看護人識別ＩＤが記憶される制御機記憶部と、前記情報表示機の前記表示機ＣＰＵから前記サーバを経由して伝送されてくる前記端末ＩＤ及び前記表示機ＩＤを受信し、前記表示機ＩＤに割当てられた前記被看護人識別ＩＤを前記端末ＩＤに割当てられた医療・看護従事者識別ＩＤに対応させて前記医療・看護従事者による巡視記録として前記制御機記憶部に保存する制御機ＣＰＵとを備えることを特徴とするナースコールシステム。
【請求項１０】
医療・看護施設内の複数の部屋の病床毎に設置され被看護人が医療・看護従事者を呼出して通話を成立させるナースコール子機と、スタッフステーション等の施設内共用部に設置され前記ナースコール子機を用いた前記被看護人からの呼出しに前記医療・看護従事者が応答して通話を成立させるナースコール親機と、前記病床毎に設置され前記被看護人の治療情報や施設案内等の被看護人用閲覧情報を表示する情報表示機と、前記情報表示機を制御するサーバと、前記ナースコール子機、前記ナースコール親機及び前記サーバを制御する制御機とを有するナースコールシステムであって、
前記情報表示機は、表示機ＩＤが予め記憶された無線タグを備え、
前記携帯情報端末は、前記情報表示機の前記無線タグに予め記憶されている前記表示機ＩＤを読取る端末データ読取部と、前記端末データ読取部にて読取られた前記表示機ＩＤを自端末が有する端末ＩＤとともに前記サーバを経由して制御機に送出する端末ＣＰＵとを備え、
前記制御機は、前記携帯情報端末を携帯した前記医療・看護従事者が有する医療・看護従事者識別ＩＤに対応させた前記端末ＩＤ、前記表示機ＩＤに対応する被看護人識別ＩＤが記憶される制御機記憶部と、前記携帯情報端末の前記端末ＣＰＵから前記サーバを経由して伝送されてくる前記端末ＩＤ及び前記表示機ＩＤを受信し、前記表示機ＩＤに割当てられた前記被看護人識別ＩＤを前記端末ＩＤに割当てられた前記医療・看護従事者識別ＩＤに対応させて前記医療・看護従事者による巡視記録として前記制御機記憶部に保存する制御機ＣＰＵとを備えることを特徴とするナースコールシステム。
【請求項１１】
前記制御機の前記制御機ＣＰＵは、前記ナースコール子機を用いた前記被看護人からの呼出状態時に前記端末ＩＤ及び前記表示機ＩＤを受信したとき、前記情報表示機が設置された病床に設置された前記ナースコール子機の前記呼出状態を待受状態に復旧させることを特徴とする請求項９または請求項１０記載のナースコールシステム。
【請求項１２】
前記サーバ及び前記制御機のうち少なくとも１つは、電子カルテ保存機能を有し、前記医療・看護従事者による前記被看護人への処置内容や処置時刻等の看護処置情報を保存する記憶部を備えることを特徴とする請求項９乃至請求項１１何れか１項記載のナースコールシステム。
【請求項１３】
医療・看護施設の複数の部屋の病床毎に設置され被看護人が医療・看護従事者を呼出して通話を成立させるナースコール子機と、スタッフステーション等の施設内共用部に設置され前記ナースコール子機を用いた前記被看護人からの呼出しに前記医療・看護従事者が応答して通話を成立させるナースコール親機と、前記ナースコール子機及び前記ナースコール親機を制御する制御機とを有するナースコールシステムであって、
前記ナースコール子機は、前記子機ＩＤが予め記憶された無線タグを備え、
前記携帯情報端末は、前記ナースコール子機の前記無線タグに予め記憶されている前記子機ＩＤを読取る端末データ読取部と、前記端末データ読取部にて読取られた前記子機ＩＤを自端末が有する端末ＩＤとともに前記制御機に送出する端末ＣＰＵとを備え、
前記制御機は、前記携帯情報端末を携帯した前記医療・看護従事者が有する看護人識別ＩＤに対応させた前記端末ＩＤ、前記子機ＩＤに対応する被看護人識別ＩＤが記憶される制御機記憶部と、前記携帯情報端末の前記端末ＣＰＵから伝送されてくる前記端末ＩＤ及び前記子機ＩＤを受信し、前記子機ＩＤに割当てられた被看護人識別ＩＤを端末ＩＤに割当てられた看護人識別ＩＤに対応させて前記医療・看護従事者による巡視記録として前記制御機記憶部に保存するとともに、前記巡視記録をパーソナルコンピュータなど他の機器で読みだし可能な状態に変換する制御機ＣＰＵと、変換された前記巡視記録をパーソナルコンピュータなど他の機器に転送する通信ＩＦとを備えることを特徴とするナースコールシステム
【請求項１４】
医療・看護施設の複数の部屋の病床毎に設置され被看護人が医療・看護従事者を呼出して通話を成立させるナースコール子機と、前記部屋毎の出入り口に設置され前記ナースコール子機を用いた前記被看護人からの呼出しを報知する廊下灯と、スタッフステーション等の施設内共用部に設置され前記ナースコール子機を用いた前記被看護人からの呼出しに前記医療・看護従事者が応答して通話を成立させるナースコール親機と、前記ナースコール子機、前記廊下灯及び前記ナースコール親機を制御する制御機とを有するナースコールシステムであって、
前記廊下灯は、前記廊下灯ＩＤが予め記憶された無線タグを備え、
前記携帯情報端末は、前記廊下灯の前記無線タグに予め記憶されている前記廊下灯ＩＤを読取る端末データ読取部と、前記端末データ読取部にて読取られた前記廊下灯ＩＤを自端末が有する端末ＩＤとともに前記制御機に送出する端末ＣＰＵとを備え、
前記制御機は、前記携帯情報端末を携帯した前記医療・看護従事者が有する看護人識別ＩＤに対応させた前記端末ＩＤ、前記廊下灯ＩＤに対応する被看護人識別ＩＤが記憶される制御機記憶部と、前記携帯情報端末の前記端末ＣＰＵから伝送されてくる前記端末ＩＤ及び前記廊下灯ＩＤを受信し、前記廊下灯ＩＤに割当てられた被看護人識別ＩＤを端末ＩＤに割当てられた看護人識別ＩＤに対応させて前記医療・看護従事者による巡視記録として前記制御機記憶部に保存するとともに、前記巡視記録をパーソナルコンピュータなど他の機器で読みだし可能な状態に変換する制御機ＣＰＵと、変換された前記巡視記録をパーソナルコンピュータなど他の機器に転送する通信ＩＦとを備えることを特徴とするナースコールシステム。
【請求項１５】
前記ナースコール親機は、変換された前記巡視記録を表示する表示部を備えることを特徴とする請求項１３または請求項１４記載のナースコールシステム。
【請求項１６】
前記子機データ読取部、前記端末データ読取部、前記廊下灯データ読取部および前記表示機データ読取部のうち少なくとも１つは、前記被看護人が携帯するリストバンド等の無線タグに予め記憶されている被看護人識別ＩＤを読取ることを特徴とする請求項１乃至請求項１５何れか１項記載のナースコールシステム。
【請求項１７】
前記制御機の前記制御機記憶部は、電子カルテ保存機能を有し、前記医療・看護従事者による前記被看護人への処置内容や処置時刻等の看護処置情報を保存することを特徴とする請求項１乃至請求項１６何れか１項記載のナースコールシステム。
【請求項１８】
前記看護処置情報は、前記制御機の前記記憶部に代えてサーバに保存されることを特徴とする請求項１７記載のナースコールシステム。
【発明の詳細な説明】
【技術分野】
【０００１】
本発明は、ナースコールシステムに係わり、特に、ＲＦＩＤ（Radio Frequency IDentification）等の無線タグを用いて看護業務の管理を容易に行なうことが可能なナースコールシステムに関する。
【背景技術】
【０００２】
従来から、この種のナースコールシステムとして、ＰＤＡ（携帯情報端末）を使用することで巡視結果を記録することが可能な看護支援システムが知られている（例えば、特許文献１等）。
【０００３】
この看護支援システムは、予めＰＤＡに必要となる入院患者の体図データをビットマップ形式でテンプレート化して登録しておき、巡回時等において必要となった場合には、これをＰＤＡの該ディスプレイ上に呼出して患部の状況等の観察結果を体図情報として入力／表示および記憶できるようにし、印刷時には体図情報をバイタルサインの温度表（体温、血圧、呼吸数等のグラフ化された帳票）に転記させるものである。
【０００４】
この看護支援システムによれば、看護師交代時の申し送り事項や次回巡回時の参照データとして有効活用できるとともに、看護業務を円滑に進めることが可能となる。
【先行技術文献】
【特許文献】
【０００５】
【特許文献１】特開平１１−１５５８２２号公報
【発明の概要】
【発明が解決しようとする課題】
【０００６】
しかしながら、従来の看護支援システムにおいては、ＰＤＡを使用することで巡視結果を記録することができるものの、次のような難点があった。
【０００７】
第１に、巡視する際に、看護師等が携帯するＰＤＡを用いて、患部の状況等の観察結果を記録しなければならないことから、現場で所定の入力操作が必要になる。
【０００８】
第２に、夜間巡視においては、ＰＤＡと懐中電灯とで両手が塞がることから巡視結果を記録することが困難になる。
【０００９】
第３に、従来の看護支援システムにおいては、それ以外の用途には使用することができず、ナースコールシステムそのものの有機的な連携が少なく、自動的に巡視結果を記録することができない。
【００１０】
本発明は、このような従来の難点を解消するため、ナースコールシステムそのものの動作との有機的な連携を図り、自動的に巡視結果を記録することができるナースコールシステムを提供することを目的としている。
【課題を解決するための手段】
【００１１】
本発明の第１の態様であるナースコールシステムは、医療・看護施設内の複数の部屋の病床毎に設置され被看護人が医療・看護従事者を呼出して通話を成立させるナースコール子機と、スタッフステーション等の施設内共用部に設置されナースコール子機を用いた被看護人からの呼出しに医療・看護従事者が応答して通話を成立させるナースコール親機と、ナースコール子機及びナースコール親機を制御する制御機とを有するナースコールシステムであって、ナースコール子機は、施設内を移動中の医療・看護従事者により携帯された携帯情報端末が有する無線タグに予め記憶されている端末ＩＤを読取る子機データ読取部と、子機データ読取部にて読取られた端末ＩＤを自子機が有する子機ＩＤとともに制御機に送出する子機ＣＰＵとを備え、制御機は、携帯情報端末を携帯した医療・看護従事者が有する医療・看護従事者識別ＩＤに対応させた端末ＩＤ、子機ＩＤに対応する被看護人識別ＩＤが記憶される制御機記憶部と、ナースコール子機の子機ＣＰＵから伝送されてくる端末ＩＤ及び子機ＩＤを受信し、子機ＩＤに割当てられた被看護人識別ＩＤを端末ＩＤに割当てられた医療・看護従事者識別ＩＤに対応させて医療・看護従事者による巡視記録として制御機記憶部に保存する制御機ＣＰＵとを備えるものである。
【００１２】
本発明の第２の態様であるナースコールシステムは、医療・看護施設内の複数の部屋の病床毎に設置され被看護人が医療・看護従事者を呼出して通話を成立させるナースコール子機と、スタッフステーション等の施設内共用部に設置されナースコール子機を用いた被看護人からの呼出しに医療・看護従事者が応答して通話を成立させるナースコール親機と、ナースコール子機及びナースコール親機を制御する制御機３とを有するナースコールシステムであって、ナースコール子機は、子機ＩＤが予め記憶された無線タグを備え、携帯情報端末は、ナースコール子機の無線タグに予め記憶されている子機ＩＤを読取る端末データ読取部と、端末データ読取部にて読取られた子機ＩＤを自端末が有する端末ＩＤとともに制御機に送出する端末ＣＰＵとを備え、制御機は、携帯情報端末を携帯した医療・看護従事者が有する医療・看護従事者識別ＩＤに対応させた端末ＩＤ、子機ＩＤに対応する被看護人識別ＩＤが記憶される制御機記憶部と、携帯情報端末の端末ＣＰＵから伝送されてくる端末ＩＤ及び子機ＩＤを受信し、子機ＩＤに割当てられた被看護人識別ＩＤを端末ＩＤに割当てられた医療・看護従事者識別ＩＤに対応させて医療・看護従事者による巡視記録として制御機記憶部に保存する制御機ＣＰＵとを備えるものである。
【００１３】
本発明の第３の態様であるナースコールシステムは、第１の態様または第２の態様であるナースコールシステムにおいて、制御機の制御機ＣＰＵは、ナースコール子機を用いた被看護人からの呼出状態時に端末ＩＤ及び子機ＩＤを受信したとき、呼出状態を待受状態に復旧させるものである。
【００１４】
本発明の第４の態様であるナースコールシステムは、医療・看護施設内の複数の部屋の病床毎に設置され被看護人が医療・看護従事者を呼出して通話を成立させるナースコール子機と、部屋毎の出入り口に設置されナースコール子機を用いた被看護人からの呼出しを報知する廊下灯と、スタッフステーション等の施設内共用部に設置されナースコール子機を用いた被看護人からの呼出しに医療・看護従事者が応答して通話を成立させるナースコール親機と、ナースコール子機、廊下灯及びナースコール親機を制御する制御機とを有するナースコールシステムであって、廊下灯は、施設内を移動中の医療・看護従事者により携帯された携帯情報端末が有する無線タグに予め記憶されている端末ＩＤを読取る廊下灯データ読取部と、廊下灯データ読取部にて読取られた端末ＩＤを自廊下灯が有する廊下灯ＩＤとともに制御機に送出する廊下灯ＣＰＵとを備え、制御機は、携帯情報端末を携帯した医療・看護従事者が有する医療・看護従事者識別ＩＤに対応させた端末ＩＤ、廊下灯ＩＤに対応する被看護人識別ＩＤが記憶される制御機記憶部と、携帯情報端末の端末ＣＰＵから伝送されてくる端末ＩＤ及び廊下灯ＩＤを受信し、廊下灯ＩＤに割当てられた被看護人識別ＩＤを端末ＩＤに割当てられた医療・看護従事者識別ＩＤに対応させて医療・看護従事者による巡視記録として制御機記憶部に保存する制御機ＣＰＵとを備えるものである。
【００１５】
本発明の第５の態様であるナースコールシステムは、医療・看護施設内の複数の部屋の病床毎に設置され被看護人が医療・看護従事者を呼出して通話を成立させるナースコール子機と、部屋毎の出入り口に設置されナースコール子機を用いた被看護人からの呼出しを報知する廊下灯と、スタッフステーション等の施設内共用部に設置されナースコール子機を用いた被看護人からの呼出しに医療・看護従事者が応答して通話を成立させるナースコール親機と、ナースコール子機、廊下灯及びナースコール親機を制御する制御機とを有するナースコールシステムであって、廊下灯は、廊下灯ＩＤが予め記憶された無線タグを備え、携帯情報端末は、廊下灯の無線タグに予め記憶されている廊下灯ＩＤを読取る端末データ読取部と、端末データ読取部にて読取られた廊下灯ＩＤを自端末が有する端末ＩＤとともに制御機に送出する端末ＣＰＵとを備え、制御機は、携帯情報端末を携帯した医療・看護従事者が有する医療・看護従事者識別ＩＤに対応させた端末ＩＤ、廊下灯ＩＤに対応する被看護人識別ＩＤが記憶される制御機記憶部と、携帯情報端末の端末ＣＰＵから伝送されてくる端末ＩＤ及び廊下灯ＩＤを受信し、廊下灯ＩＤに割当てられた被看護人識別ＩＤを端末ＩＤに割当てられた医療・看護従事者識別ＩＤに対応させて医療・看護従事者による巡視記録として制御機記憶部に保存する制御機ＣＰＵとを備えるものである。
【００１６】
本発明の第６の態様であるナースコールシステムは、第４の態様または第５の態様であるナースコールシステムにおいて、制御機の制御機ＣＰＵは、ナースコール子機を用いた被看護人からの呼出状態時に端末ＩＤ及び廊下灯ＩＤを受信したとき、廊下灯ＩＤの廊下灯に接続された全てのナースコール子機の呼出状態を待受状態に復旧させるものである。
【００１７】
本発明の第７の態様であるナースコールシステムは、第１の態様乃至第６の態様の何れかの態様であるナースコールシステムにおいて、制御機の制御機記憶部は、電子カルテ保存機能を有し、医療・看護従事者による被看護人への処置内容や処置時刻等の看護処置情報を保存するものである。
【００１８】
本発明の第８の態様であるナースコールシステムは、第７の態様であるナースコールシステムにおいて、看護処置情報は、制御機の制御機記憶部に代えてサーバに保存されるものである。
【００１９】
本発明の第９の態様であるナースコールシステムは、医療・看護施設内の複数の部屋の病床毎に設置され被看護人が医療・看護従事者を呼出して通話を成立させるナースコール子機と、スタッフステーション等の施設内共用部に設置されナースコール子機を用いた被看護人からの呼出しに医療・看護従事者が応答して通話を成立させるナースコール親機と、病床毎に設置され被看護人の治療情報や施設案内等の被看護人用閲覧情報を表示する情報表示機と、情報表示機を制御するサーバと、ナースコール子機、ナースコール親機及びサーバを制御する制御機とを有するナースコールシステムであって、情報表示機は、施設内を移動中の看護人／医療・看護従事者により携帯された携帯情報端末が有する無線タグに予め記憶されている端末ＩＤを読取る表示機データ読取部と、表示機データ読取部にて読取られた端末ＩＤを自表示機が有する表示機ＩＤとともにサーバに送出する表示機ＣＰＵとを備え、制御機は、携帯情報端末を携帯した医療・看護従事者が有する医療・看護従事者識別ＩＤに対応させた端末ＩＤ、子機ＩＤに対応する被看護人識別ＩＤが記憶される制御機記憶部と、情報表示機の表示機ＣＰＵからサーバを経由して伝送されてくる端末ＩＤ及び表示機ＩＤを受信し、表示機ＩＤに割当てられた被看護人識別ＩＤを端末ＩＤに割当てられた医療・看護従事者識別ＩＤに対応させて医療・看護従事者による巡視記録として制御機記憶部に保存する制御機ＣＰＵとを備えるものである。
【００２０】
本発明の第１０の態様であるナースコールシステムは、医療・看護施設内の複数の部屋の病床毎に設置され被看護人が医療・看護従事者を呼出して通話を成立させるナースコール子機と、スタッフステーション等の施設内共用部に設置されナースコール子機を用いた被看護人からの呼出しに医療・看護従事者が応答して通話を成立させるナースコール親機と、病床毎に設置され被看護人の治療情報や施設案内等の被看護人用閲覧情報を表示する情報表示機と、情報表示機を制御するサーバと、ナースコール子機、ナースコール親機及びサーバを制御する制御機とを有するナースコールシステムであって、情報表示機は、表示機ＩＤが予め記憶された無線タグを備え、携帯情報端末は、情報表示機の無線タグに予め記憶されている表示機ＩＤを読取る端末データ読取部と、端末データ読取部にて読取られた表示機ＩＤを自端末が有する端末ＩＤとともにサーバを経由して制御機に送出する端末ＣＰＵとを備え、制御機は、携帯情報端末を携帯した医療・看護従事者が有する医療・看護従事者識別ＩＤに対応させた端末ＩＤ、表示機ＩＤに対応する被看護人識別ＩＤが記憶される制御機記憶部と、携帯情報端末の端末ＣＰＵからサーバを経由して伝送されてくる端末ＩＤ及び表示機ＩＤを受信し、表示機ＩＤに割当てられた被看護人識別ＩＤを端末ＩＤに割当てられた医療・看護従事者識別ＩＤに対応させて医療・看護従事者による巡視記録として制御機記憶部に保存する制御機ＣＰＵとを備えるものである。
【００２１】
本発明の第１１の態様であるナースコールシステムは、第９の態様または第１０の態様であるナースコールシステムにおいて、制御機の制御機ＣＰＵは、ナースコール子機を用いた被看護人からの呼出状態時に端末ＩＤ及び表示機ＩＤを受信したとき、情報表示機が設置された病床に設置されたナースコール子機の呼出状態を待受状態に復旧させるものである。
【００２２】
本発明の第１２の態様であるナースコールシステムは、第９の態様乃至第１１の態様の何れかの態様であるナースコールシステムにおいて、サーバ及び制御機のうち少なくとも１つは、電子カルテ保存機能を有し、医療・看護従事者による被看護人への処置内容や処置時刻等の看護処置情報を保存する記憶部を備えるものである。
【００２３】
本発明の第１３態様であるナースコールシステムは、医療・看護施設の複数の部屋の病床毎に設置され被看護人が医療・看護従事者を呼出して通話を成立させるナースコール子機と、スタッフステーション等の施設内共用部に設置されナースコール子機を用いた被看護人からの呼出しに医療・看護従事者が応答して通話を成立させるナースコール親機と、ナースコール子機及びナースコール親機を制御する制御機とを有するナースコールシステムであって、ナースコール子機は、子機ＩＤが予め記憶された無線タグを備え、携帯情報端末は、ナースコール子機の無線タグに予め記憶されている子機ＩＤを読取る端末データ読取部と、端末データ読取部にて読取られた子機ＩＤを自端末が有する端末ＩＤとともに制御機に送出する端末ＣＰＵとを備え、制御機は、携帯情報端末を携帯した医療・看護従事者が有する看護人識別ＩＤに対応させた端末ＩＤ、子機ＩＤに対応する被看護人識別ＩＤが記憶される制御機記憶部と、携帯情報端末の端末ＣＰＵから伝送されてくる端末ＩＤ及び子機ＩＤを受信し、子機ＩＤに割当てられた被看護人識別ＩＤを端末ＩＤに割当てられた看護人識別ＩＤに対応させて医療・看護従事者による巡視記録として制御機記憶部に保存するとともに、巡視記録をパーソナルコンピュータなど他の機器で読みだし可能な状態に変換する制御機ＣＰＵと、変換された巡視記録をパーソナルコンピュータなど他の機器に転送する通信ＩＦとを備えるものである。
【００２４】
本発明の第１４の態様であるナースコールシステムは、医療・看護施設の複数の部屋の病床毎に設置され被看護人が医療・看護従事者を呼出して通話を成立させるナースコール子機と、部屋毎の出入り口に設置されナースコール子機を用いた被看護人からの呼出しを報知する廊下灯と、スタッフステーション等の施設内共用部に設置されナースコール子機を用いた被看護人からの呼出しに医療・看護従事者が応答して通話を成立させるナースコール親機と、ナースコール子機、廊下灯及びナースコール親機を制御する制御機とを有するナースコールシステムであって、廊下灯は、廊下灯ＩＤが予め記憶された無線タグを備え、携帯情報端末は、廊下灯の無線タグに予め記憶されている廊下灯ＩＤを読取る端末データ読取部と、端末データ読取部にて読取られた廊下灯ＩＤを自端末が有する端末ＩＤとともに制御機に送出する端末ＣＰＵとを備え、制御機は、携帯情報端末を携帯した医療・看護従事者が有する看護人識別ＩＤに対応させた端末ＩＤ、廊下灯ＩＤに対応する被看護人識別ＩＤが記憶される制御機記憶部と、携帯情報端末の端末ＣＰＵから伝送されてくる端末ＩＤ及び廊下灯ＩＤを受信し、廊下灯ＩＤに割当てられた被看護人識別ＩＤを端末ＩＤに割当てられた看護人識別ＩＤに対応させて医療・看護従事者による巡視記録として制御機記憶部に保存するとともに、巡視記録をパーソナルコンピュータなど他の機器で読みだし可能な状態に変換する制御機ＣＰＵと、変換された巡視記録をパーソナルコンピュータなど他の機器に転送する通信ＩＦとを備えるものである。
【００２５】
本発明の第１５の態様であるナースコールシステムは、第１３の態様または第１４の態様であるナースコールシステムにおいて、ナースコール親機は、変換された巡視記録を表示する表示部を備えるものである。
【００２６】
本発明の第１６の態様であるナースコールシステムは、第１の態様乃至第１５の態様の何れかの態様であるナースコールシステムにおいて、子機データ読取部、端末データ読取部、廊下灯データ読取部および表示機データ読取部のうち少なくとも１つは、被看護人が携帯するリストバンド等の無線タグに予め記憶されている被看護人識別ＩＤを読取るものである。
【００２７】
本発明の第１７の態様であるナースコールシステムは、第１の態様乃至第１６の態様の何れかの態様であるナースコールシステムにおいて、制御機の制御機記憶部は、電子カルテ保存機能を有し、医療・看護従事者による被看護人への処置内容や処置時刻等の看護処置情報を保存するものである。
【００２８】
本発明の第１８の態様であるナースコールシステムは、第１７の態様であるナースコールシステムにおいて、看護処置情報は、制御機の記憶部に代えてサーバに保存されるものである。
【発明の効果】
【００２９】
第１に、施設内を移動中の医療・看護従事者により携帯された携帯情報端末が有する端末無線タグに予め記憶されている端末ＩＤをナースコール子機の子機データ読取部、廊下灯の廊下灯データ読取部、情報表示機の表示機データ読取部に読取らせることで、制御機の制御機記憶部に巡視記録を自動的に保存することができる。従って、本発明のナースコールシステムによれば、ナースコールシステムそのものの動作との有機的な連携を図ることで、現場において所定の入力操作をすることなく自動的に巡視記録を保存することができる。また、医療・看護従事者がスマートフォン等の高機能通信端末を携帯することで、当該医療・看護従事者の施設内での動きを、廊下灯等で自動的にキャッチすることができる。
【００３０】
第２に、スマートフォン等の高機能通信端末を携帯する医療・看護従事者と施設内に設置された廊下灯等との距離が一定の近距離になることで、ナースコール親機で被看護人への処置または対応履歴として自動的に保存することができる。
【００３１】
第３に、当該履歴データは、勤務スケジュールの立案、ナースコール呼出しからの対応時間の算出等に活用することができる。
【００３２】
第４に、制御機の制御機記憶部に電子カルテ保存機能を搭載した場合は、医療・看護従事者による被看護人への処置内容や処置時刻等の看護処置情報を保存することにより、看護記録を容易に構築することができる。
【００３３】
第５に、医療・看護従事者が携帯情報端末の無線タグをナースコール子機や廊下灯等に読み取らせることにより、ナースコールの呼出中であれば巡視記録を記録するとともにナースコール呼出しを待受状態に復旧させることができ、ひいては、ナースコール呼出しに対応した医療・看護従事者識別ＩＤを自動的に記録することができる。
【００３４】
第６に、医療・看護従事者がナースコール子機、廊下灯、情報表示機の何れかの無線タグを携帯情報端末に読み取らせることにより、ナースコール呼出中であれば巡視記録を記録するとともにナースコール呼出を待受状態に復旧させることができ、ひいてはナースコール呼出しに対応した医療・看護従事者識別ＩＤを自動的に記録することができる。
【００３５】
第７に、医療・看護従事者が被看護人の無線タグを携帯情報端末に読み取らせることにより、巡視記録に被看護人ＩＤを記録することができ、食堂等の共用部で被看護人の呼出しに対応した場合にも被看護人ごとの記録を取ることができる。
【００３６】
第８に、被看護人ＩＤと医療・看護従事者識別ＩＤを対応させて電子カルテに処置内容をあわせて記憶することにより、看護記録を容易に構築することができる。
【００３７】
第９に、制御機にサーバを接続した場合は、看護処置情報を制御機の制御機記憶部に代えてサーバに保存することができ、データの一元化を図ることができる。
【００３８】
第１０に、医療・看護従事者が被看護人の無線タグを自己の携帯する携帯情報端末に読み取らせた場合には、巡視記録に被看護人識別ＩＤを記録することができ、また、食堂等の共用部で被看護人の呼出しに対応した場合にも被看護人ごとの記録を取ることができる。さらに、被看護人識別ＩＤと医療・看護従事者識別ＩＤを対応させて電子カルテに処置内容をあわせて記憶することにより、看護記録を容易に構築することができる。また、制御機が被看護人識別ＩＤと子機ＩＤの関連づけの不一致を検出した場合には、携帯情報端末あるいはナースコール親機から被看護人識別ＩＤ異常の警報を鳴動することにより、患者の取り違えを防ぐこともできる。
【図面の簡単な説明】
【００３９】
【図１】本発明の実施例によるナースコールシステムの構成図。
【図２】本発明におけるナースコール子機および携帯情報端末のブロック図。
【図３】本発明におけるナースコール親機および制御機のブロック図。
【図４】本発明における制御機記憶部に記憶される被看護人情報テーブル、医療・看護従事者情報テーブルおよび巡視記録の説明図。
【図５】本発明の他の実施例における携帯情報端末および廊下灯のブロック図。
【図６】本発明の他の実施例におけるナースコールシステムの構成図。
【図７】本発明の他の実施例における携帯情報端末および情報表示機のブロック図。
【図８】本発明におけるリストバンドを使用した場合の携帯情報端末の表示内容を示す説明図。
【発明を実施するための形態】
【００４０】
以下、本発明のナースコールシステムを適用した最良の実施の形態例について、図面を参照して説明する。
［実施例１］
図１は、本発明の第１の実施例によるナースコールシステムの全体構成を示す説明図である。
【００４１】
図１において、本発明のナースコールシステムは、医療・看護施設内の複数の部屋の病床毎に設置されるナースコール子機１、１、・・・と、スタッフステーション等の施設内共用部に設置されるナースコール親機２と、施設内共用部に設置される制御機３と、医療・看護従事者により携帯される携帯情報端末４、４、・・・と、部屋毎の出入り口に設置される廊下灯５、５、・・・と、基地局８および交換機９とを備えている。
【００４２】
ここで、各ナースコール子機１、１、・・・は、それぞれ子機ラインＬ１を経由して対応する廊下灯５に接続され、各廊下灯５には、廊下灯ラインＬ２を経由して制御機３が接続されている。また、ナースコール親機２は、親機ラインＬ３を経由して制御機３に接続され、制御機３には、交換機ラインＬ４を経由して交換機９が接続されている。さらに、交換機９には、基地局ラインＬ５を経由して基地局８が接続されている。なお、ナースコール子機１及び廊下灯５間の接続は、図示のような個別配線の接続に限定されるものではなく、例えば、複数台の当該ナースコール子機１を順次、廊下灯５に接続する渡り配線とすることもできる。また、廊下灯５及び制御機３間の接続についても、図示のような渡り配線の接続に限定されるものではなく、例えば、バス接続とすることもできる。
【００４３】
各ナースコール子機１、１、・・・は、それぞれ同様の構成とされ、それぞれ個別の子機ＩＤを有しており、病院等の医療・介護施設における例えば、２０１号室、２０２号室、・・・・のような（複数の）部屋内の各病床の被看護人（患者と同意）が、例えば、ナースコール親機２が設置されるスタッフステーション等の施設内共用部に在室中の看護人（医療・看護従事者と同意）及び／又は携帯情報端末４を携帯して当該施設内を移動中の看護人（医療・看護従事者と同意）に対し、通常呼出し、トイレ・風呂介助等を求める緊急呼出し、点滴の終了を知らせる確認呼出し等、ナースコール呼出しにかかる呼出種別毎で異なる所定の呼出操作を行うとともに、この被看護人が看護人との間で音声を送受信して通話を成立させるものである。ここで、ナースコール子機１は、部屋内の病床数に対応させて複数台、任意に設けることができる。
【００４４】
なお、各ナースコール子機１、１、・・・は、例えば、前述のような所定の呼出操作が行われる呼出操作機能を有するハンド子機１ａと、ハンド子機１ａに接続され前述のような通話を成立させる通話機能を有するプレート子機１ｂとで構成されている。また、ハンド子機１ａには、呼出操作機能のみならず前述のような通話機能を備えることもできる。さらに、プレート子機１ｂには、通話機能のみならず前述のような呼出操作機能や、被看護人からの呼出しを待受状態に復旧させる呼出復旧操作機能を備えることもできる。
【００４５】
各廊下灯５、５、・・・は、それぞれ同様の構成と構成され、それぞれ個別の廊下灯ＩＤを有しており、ナースコール子機１を用いた被看護人からのナースコール呼出しを、通常呼出し、トイレ・風呂介助等を求める緊急呼出し、点滴の終了を知らせる確認呼出し等、呼出種別毎に異なるパターンの警報音、表示灯で報知するものである。
【００４６】
ナースコール親機２は、ナースコール子機１を用いた被看護人からのナースコール呼出しを、通常呼出し、トイレ・風呂介助等を求める緊急呼出し、点滴の終了を知らせる確認呼出し等、呼出種別毎に異なるパターンの警報音、表示灯で報知するとともに、これを確認した看護人が被看護人との間で音声を送受信して通話を成立させるものである。
【００４７】
なお、ナースコール親機２には、通常、ナースコール子機１を個別呼出し又は一斉呼出しする機能や、携帯情報端末４を個別呼出し又は一斉呼出しする機能が備えられている。また、ナースコール親機２の構成態様としては、図示のような電子情報出力型の当該親機に限定されず、例えば、ＰＣ（パーソナル・コンピュータ）型やボード型の当該親機も好適とされる。
【００４８】
各携帯情報端末４、４、・・・は、それぞれ同様の構成とされ、それぞれ当該施設内を移動中の看護人によって携行され個別の端末ＩＤを有しており、ナースコール子機１を用いた被看護人からのナースコール呼出しを、通常呼出し、トイレ・風呂介助等を求める緊急呼出し、点滴の終了を知らせる確認呼出し等、呼出種別毎に異なるパターンの警報音、表示灯で報知するとともに、これを確認した看護人が被看護人との間で音声を送受信して通話を成立させるものであり、例えば、スマートフォン等の高機能通信端末やＰＨＳ端末が好適とされる。なお、携帯情報端末４は、通常、ナースコール親機２や他の携帯情報端末４との間で呼出し、通話を成立させる機能が備えられている。
【００４９】
制御機３は、廊下灯ラインＬ２を経由して各廊下灯５、５、・・・、親機ラインＬ３を経由してナースコール親機２、交換機ラインＬ４を経由して交換機９、サーバラインＬ６（後述）を経由してサーバ６（後述）をそれぞれ接続する中継器として、これらに接続された機器を制御するものである。なお、交換機９が有する回線制御機機能は、制御機３に備えることができ、この態様によれば交換機９が不要とされ、制御機３と基地局８の間が直接接続される。
【００５０】
次に、図２（ａ）に基づいて、各ナースコール子機１、１、・・・および各携帯情報端末４、４、・・・の具体的な構成について説明する。
【００５１】
図同において、各ナースコール子機１、１、・・・は、それぞれ、子機操作部１１、子機通話部１２、子機データ読取部１３および子機ＣＰＵ１５及び子機Ｉ／Ｆ（インターフェース）１６を備えている。
【００５２】
このナースコール子機１において、子機操作部１１は、被看護人が看護人を呼出すにあたり、呼出種別毎で所定の呼出操作を行うものである。
【００５３】
子機通話部１２は、被看護人が看護人との間で通話を成立させる音声を送受信するものであり、例えば、マイク及びスピーカで構成されている。
【００５４】
また、子機データ読取部１３は、携帯情報端末４の無線タグ（以下「端末無線タグ」という。）４４に予め記憶されている端末ＩＤを読出すとともに、被看護人が携帯するリストバンド等の無線タグ１０（後述）に予め記憶されている被看護人識別ＩＤを読取るものである。
【００５５】
子機ＣＰＵ１５は、当該ナースコール子機の構成各部を制御するものである。
【００５６】
また、子機Ｉ／Ｆ１６は、子機通話部１２及び子機ラインＬ１間の信号伝送路、子機ＣＰＵ１５及び子機ラインＬ１間の信号伝送路をそれぞれ形成するものである。
【００５７】
次に、各携帯情報端末４、４、・・・は、それぞれ端末表示部４１、端末操作部４２、端末通話部４３、端末無線タグ４４、端末ＣＰＵ４６及び端末Ｉ／Ｆ４７を備えている。
【００５８】
この携帯情報端末４において、端末表示部４１は、ナースコール子機１、１、・・・を用いた被看護人からのナースコール呼出しがあることを呼出表示するものであり、例えば、ＬＣＤ、有機ＥＬディスプレイ等の各種の表示媒体で構成されている。
【００５９】
端末操作部４２は、前述のような被看護人からのナースコール呼出しに看護人が応答する操作を行うものであり、例えば、端末表示部４１の前面に設置されたタッチパネルや所定の操作ボタンで構成されている。
【００６０】
端末通話部４３は、看護人が被看護人との間で通話を成立させる音声を送受信するものであり、例えば、マイク及びスピーカで構成されている。ここで、端末通話部４３を構成するスピーカは、前述のようなナースコール呼出しがあることを報知する呼出音や音声メッセージ等を出力することもできる。
【００６１】
端末無線タグ４４には、看護人／医療・看護従事者識別ＩＤが予め記憶されている。
【００６２】
端末ＣＰＵ４６は、当該携帯情報端末の構成各部を制御するものである。
【００６３】
また、端末Ｉ／Ｆ４７は、端末通話部４３及び基地局８間の信号伝送路、端末ＣＰＵ４６及び基地局８間の信号伝送路をそれぞれ形成するものである。
【００６４】
次に、図３に基づいて、ナースコール親機２および制御機３の具体的な構成について説明する。
【００６５】
同図（ａ）において、ナースコール親機２は、親機表示部２１、親機操作部２２、親機通話部２３、親機ＣＰＵ２４及び親機Ｉ／Ｆ２５を備えている。
【００６６】
このナースコール親機２において、親機表示部２１は、ナースコール子機１、１、・・・を用いた被看護人からのナースコール呼出しがあることを表示（呼出表示）するものであり、例えば、ＬＣＤ、有機ＥＬディスプレイ等の各種の表示媒体で構成されている。
【００６７】
親機操作部２２は、前述のような被看護人からのナースコール呼出しに医療・看護従事者が応答するための操作（応答操作）を行うものであり、例えば、親機表示部２１の前面に設置されたタッチパネルで構成されている。
【００６８】
親機通話部２３は、医療・看護従事者が被看護人との間で通話を成立させるための音声を送受信するものであり、例えば、マイク及びスピーカで構成されている。また、親機通話部２３を構成するスピーカは、前述のようなナースコール呼出しがあることを報知（呼出発報）するための呼出音や音声メッセージ等を出力することができる。なお、親機通話部２３としては、図１に示すようなハンドセットを適用することもできる。
【００６９】
親機ＣＰＵ２４は、当該ナースコール親機の構成各部を制御するものである。また、親機Ｉ／Ｆ２５は、親機通話部２３及び親機ラインＬ３間の信号伝送路、親機ＣＰＵ２４及び親機ラインＬ３間の信号伝送路をそれぞれ形成するものである。
【００７０】
次に、制御機３は、図３（ｂ）に示すように、制御機記憶部３１、制御機ＣＰＵ３２、廊下灯側制御機Ｉ／Ｆ３３、親機側制御機Ｉ／Ｆ３４、交換機側制御機Ｉ／Ｆ３５及び必要により設けられるサーバ側制御機Ｉ／Ｆ３６を備えている。
【００７１】
この制御機３において、制御機記憶部３１は、携帯情報端末を携帯した医療・看護従事者が有する医療・看護従事者識別ＩＤに対応させた端末ＩＤ、子機ＩＤに対応する被看護人識別ＩＤ、廊下灯ＩＤに対応する被看護人識別ＩＤ、表示機ＩＤに対応する被看護人識別ＩＤおよび巡視記録等を記憶するためのものであり、例えば、ＲＡＭ（Read Only Memory）、ＥＥＰＲＯＭ（Electrically Erasable and Programmable Read Only Memory）等の各種の記憶媒体で構成されている。なお、制御機記憶部３１の記憶内容である前述の設定情報は、例えば、ナースコール親機２や別途のＰＣ（パーソナル・コンピュータ）等を用いることで適宜に書換えることができる。
【００７２】
制御機ＣＰＵ３２は、当該制御機の構成各部を制御するばかりでなく当該システム全体を制御するものである。
また、廊下灯側制御機Ｉ／Ｆ３３は、制御機ＣＰＵ３２及び廊下灯ラインＬ２間の信号伝送路を形成するものであり、親機側制御機Ｉ／Ｆ３４は、制御機ＣＰＵ３２及び親機ラインＬ３間の信号伝送路を形成するものであり、交換機側制御機Ｉ／Ｆ３５は、制御機ＣＰＵ３２及び交換機ラインＬ４間の信号伝送路を形成するものであり、サーバ側制御機Ｉ／Ｆ３６は、制御機ＣＰＵ３２及びサーバラインＬ６（後述）間の信号伝送路を形成するものである。
【００７３】
次に、このように構成された本発明の実施例におけるナースコールシステムの各実施形態に共通する動作について説明する。
［第１の動作例］
先ず、制御機３の制御機記憶部３１には、例えば図４（ａ）に示すような被看護人情報テーブルおよび図４(ｂ)に示すような医療・看護従事者情報テーブルが予め記憶されている。
【００７４】
図１から図３において、例えば２０１号室、２０２号室、・・・のような複数の部屋毎の各病床に居る被看護人のうち、特定の被看護人（例えば、２０１号室の病床に居る「鈴木太郎」）が、スタッフステーション等の施設内共用部に在室中の医療・看護従事者や携帯情報端末４、４、・・・を携帯して施設内を移動中の医療・看護従事者のうち例えば、担当の医療・看護従事者（例えば、「山田花子」）を呼出すために、ナースコール子機１を構成するハンド子機１ａを使用して呼出種別毎で異なる呼出操作、例えば、ナースコール呼出しのための操作を行うと、この操作を検出したプレート子機１ｂは、自子機が有する子機ＩＤ（例えば、図４（ａ）に示す「１」）及びナースコール呼出しを示す呼出種別情報を付加したナースコール呼出信号を生成する。
【００７５】
このナースコール呼出信号は、子機ラインＬ１を経由して自部屋の出入り口近傍に設置された廊下灯５に伝送される。
【００７６】
廊下灯５は、ナースコール子機１を構成するハンド子機１ａから伝送されてきたナースコール呼出信号に付加されている子機ＩＤ（例えば、図４（ａ）に示す「１」）及び呼出種別情報をもとに、ナースコール子機１が病床に設置されている被看護人からのナースコール呼出しがあることを検出し、その旨の報知（呼出表示、呼出発報）を行うとともに、受信したナースコール呼出信号に自廊下灯５が有する廊下灯ＩＤ（例えば、図４（ａ）に示す「２０１」）を付加し、このナースコール呼出信号を、廊下灯ラインＬ２、制御機３の廊下灯側制御機Ｉ／Ｆ３３を経由して制御機ＣＰＵ３２に送出する。
【００７７】
制御機３の制御機ＣＰＵ３２は、ナースコール子機１から廊下灯５を経由して伝送されてきたナースコール呼出信号を受信すると、このナースコール呼出信号に付加されている子機ＩＤ、廊下灯ＩＤ及び呼出種別情報を検出し、ナースコール親機２にナースコール呼出しを通知する当該信号として、前述の子機ＩＤ、廊下灯ＩＤ及び呼出種別情報を付加した親機用ナースコール呼出報知信号を生成する。
【００７８】
この親機用ナースコール呼出報知信号は、制御機ＣＰＵ３２から、親機側制御機Ｉ／Ｆ３４、親機ラインＬ３、ナースコール親機２の親機Ｉ／Ｆ２５を経由して親機ＣＰＵ２４に伝送される。
【００７９】
また、制御機３の制御機ＣＰＵ３２は、制御機記憶部３１の記憶内容（例えば図４（ｂ）に示す「医療・看護従事者情報テーブル」）を参照し、携帯情報端末４、４、・・・のうち、予め設定されている担当の被看護人（例えば図４（ｂ）に示す「山田花子」）が携帯している少なくとも１台の携帯情報端末４が有する端末ＩＤ（例えば図４（ｂ）に示す「ＨＰ０１」）を読出し、この携帯情報端末４にナースコール呼出しを通知する当該信号として、前述の子機ＩＤ、廊下灯ＩＤ及び呼出種別情報と読出した端末ＩＤを付加した端末用ナースコール呼出報知信号を生成する。
【００８０】
この端末用ナースコール呼出報知信号は、制御機ＣＰＵ３２から交換機側制御機Ｉ／Ｆ３５、交換機ラインＬ４、交換機９、基地局ラインＬ５、基地局８、携帯情報端末４、４、・・・の端末Ｉ／Ｆ４７を経由して端末ＣＰＵ４６に伝送される。
【００８１】
一方、ナースコール親機２の親機ＣＰＵ２４は、制御機３から伝送されてきた親機用ナースコール呼出報知信号を受信すると、この親機用ナースコール呼出報知信号に付加されている子機ＩＤ、廊下灯ＩＤ及び呼出種別情報をもとに、ナースコール子機１が病床に設置されている被看護人（鈴木太郎）からのナースコール呼出しがある旨の呼出音や音声メッセージ等を、ナースコール親機２の親機通話部２３を構成するスピーカから出力させるとともに、同様なナースコール呼出しがある旨の文字メッセージ等を親機表示部２１に表示させることができる。なお、親機表示部２１を用いた呼出表示としては、氏名、診療科目、救護区分等の被看護人に係る各種情報を併せて表示させることもできる。
【００８２】
また、携帯情報端末４、４、・・・の端末ＣＰＵ４６は、それぞれ、制御機３から伝送されてきた端末用ナースコール呼出報知信号を受信すると、この端末用ナースコール呼出報知信号に付加されている端末ＩＤと自端末が有する端末ＩＤとを照合し、当該ＩＤが一致した場合のみ、同様に付加されている子機ＩＤ、廊下灯ＩＤ及び呼出種別情報をもとに、ナースコール子機１が病床に設置されている被看護人（鈴木太郎）からのナースコール呼出しがある旨の呼出音や音声メッセージ等を、端末通話部４３を構成するスピーカから出力させるとともに、同様なナースコール呼出しがある旨の文字メッセージ等を端末表示部４１に表示させることができる。
【００８３】
なお、端末表示部４１を用いた呼出表示としては、氏名、診療科目、救護区分等の被看護人に係る各種情報を併せて表示させることもできる。
【００８４】
ここでは、呼出元である被看護人（「鈴木太郎」）の担当の医療・看護従事者（「山田花子」）が携帯している特定の携帯情報端末４のみ当該ＩＤが一致し、前述のようなナースコール呼出しに係る所定の報知（呼出表示、呼出発報）が行われたものとする。
【００８５】
次に、前述のようなナースコール呼出しに係る所定の報知（呼出表示、呼出発報）を確認した医療・看護従事者のうち、最先に応答操作を行った医療・看護従事者として、被看護人（「鈴木太郎」）の担当である施設内を移動中の医療・看護従事者（「山田花子」）が、携帯情報端末４の端末操作部４２を用いて所定の応答操作を行うと、この操作を検出した端末ＣＰＵ４６は、端末通話部４３が有する通話機能を能動とするとともに、自端末が有する端末ＩＤ（例えば「ＨＰ０１」）を付加した端末ナースコール応答信号を生成する。この端末ナースコール応答信号は、前述の端末用ナースコール呼出報知信号と逆の信号伝送路を経由して制御機３の制御機ＣＰＵ３２に伝送される。
【００８６】
制御機３の制御機ＣＰＵ３２は、携帯情報端末４から伝送されてきた端末ナースコール応答信号を受信すると、前述のようなナースコール親機２からの親機ナースコール応答信号を受信した場合と同様に、呼出元であるナースコール子機１の通話機能を能動とするための子機用通話制御信号を生成し、ナースコール子機１を構成するプレート子機１ｂに送出する。
【００８７】
ナースコール子機１を構成するプレート子機１ｂは、制御機３から伝送されてきた通話制御信号を受信すると通話機能が能動となる。
【００８８】
この制御により、通常のナースコール呼出しの呼出元である被看護人（鈴木太郎）が使用するプレート子機１ｂの通話機能と、子機ラインＬ１、廊下灯５、廊下灯ラインＬ２、制御機３の廊下灯側制御機Ｉ／Ｆ３３、制御機ＣＰＵ３２、交換機側制御機Ｉ／Ｆ３５、交換機ラインＬ４、交換機９、基地局ラインＬ５、基地局８、携帯情報端末４の端末Ｉ／Ｆ４７を経由して端末通話部４３との間の信号通話路が形成され、形成された信号伝送路を経由して音声を送受信させることによって、被看護人（鈴木太郎）とこの被看護人の担当である施設内を巡回中の医療・看護従事者（山田花子）との間で通話が成立する。
【００８９】
なお、前述のような信号伝送路を形成するにあたって、制御機３の廊下灯側制御機Ｉ／Ｆ３３及び交換機側制御機Ｉ／Ｆ３５間の信号伝送路は、制御機ＣＰＵ３２を経由することなく廊下灯側制御機Ｉ／Ｆ３３及び交換機側制御機Ｉ／Ｆ３５間を直接接続させた信号伝送路を形成することもできる。
【００９０】
また、携帯情報端末４からの端末ナースコール応答信号を受信した制御機３の制御機ＣＰＵ３２によれば、ナースコール親機２に対して呼出報知停止制御信号を送出することにより、この呼出報知停止制御信号が受信された親機ＣＰＵ２４は、親機表示部２１及び親機通話部２３を用いたナースコール呼出しに係る所定の報知（呼出表示、呼出発報）を停止させることができる。
【００９１】
一方、前述のようなナースコール呼出しに係る所定の報知（呼出表示、呼出発報）を確認した医療・看護従事者のうち、最先に応答操作を行った医療・看護従事者として、スタッフステーション等の施設内共用部に在室中の医療・看護従事者が、ナースコール親機２の親機操作部２２を用いて応答操作を行うと、この操作を検出した親機ＣＰＵ２４は、親機通話部２３が有する通話機能を能動とするとともに親機ナースコール応答信号を生成する。この親機ナースコール応答信号は、前述の親機用ナースコール呼出報知信号と逆の信号伝送路を経由して図３（ｂ）に示す制御機３の制御機ＣＰＵ３２に伝送される。
【００９２】
制御機３の制御機ＣＰＵ３２は、ナースコール親機２から伝送されてきた親機ナースコール応答信号を受信すると、呼出元であるナースコール子機１の通話機能を能動とするための子機用通話制御信号を生成する。
【００９３】
この子機用通話制御信号は、前述のナースコール呼出信号と逆の信号伝送路を経由してナースコール子機１を構成するプレート子機１ｂに伝送される。
【００９４】
ナースコール子機１を構成するプレート子機１ｂは、制御機３から伝送されてきた子機用通話制御信号を受信すると通話機能が能動となる。
【００９５】
この制御により、ナースコール呼出しの呼出元である被看護人が使用するプレート子機１ｂの通話機能と、子機ラインＬ１、廊下灯５、廊下灯ラインＬ２、制御機３の廊下灯側制御機Ｉ／Ｆ３３、制御機ＣＰＵ３２、親機側制御機Ｉ／Ｆ３４、親機ラインＬ３、ナースコール親機２の親機Ｉ／Ｆ２５を介して親機通話部２３との間の信号通話路が形成され、形成された信号伝送路を経由して音声を送受信させることにより、被看護人とスタッフステーション等の施設内共用部に在室中の医療・看護従事者との間で通話が成立する。
【００９６】
なお、前述のような信号伝送路を形成するにあたって、制御機３の廊下灯側制御機Ｉ／Ｆ３３及び親機側制御機Ｉ／Ｆ３４間の信号伝送路は、制御機ＣＰＵ３２を経由することなく廊下灯側制御機Ｉ／Ｆ３３及び親機側制御機Ｉ／Ｆ３４間を直接接続させた信号伝送路を形成することもできる。
【００９７】
また、ナースコール親機２からの親機ナースコール応答信号を受信した制御機３の制御機ＣＰＵ３２は、前述のような呼出元である被看護人の担当の医療・看護従事者が携帯している携帯情報端末４に対して呼出報知停止制御信号を送出することにより、この呼出報知停止制御信号を受信した端末ＣＰＵ４６は、端末表示部４１及び端末通話部４３を用いたナースコール呼出しに係る所定の報知（呼出表示、呼出発報）を停止させることができる。
【００９８】
次に、待受状態において、施設内を移動中の医療・看護従事者（例えば、「山田花子」）が巡視のために被看護人（例えば鈴木太郎）のベッド近傍に赴いて、被看護人（例えば、「鈴木太郎」）に異状がないことを確認すると、医療・看護従事者（山田花子）は自己が携帯している携帯情報端末４をナースコール子機１の子機データ読取部１３に近づける。
【００９９】
携帯情報端末４の端末無線タグ４４が接近したことを検知した子機データ読取部１３は、端末無線タグ４４から当該医療・看護従事者の医療・看護従事者識別ＩＤ（「ＮＳ０１」）を読取る。
【０１００】
子機ＣＰＵ１５は、子機データ読取部１３にて読取られた当該端末のＩＤ（「ＨＰ０１」）を自子機ＩＤ（「１」）と共に子機ラインＬ１、自部屋の出入り口近傍に設置された廊下灯５、廊下灯ラインＬ２、制御機３の廊下灯側制御機Ｉ／Ｆ３３を経由して制御機ＣＰＵ３２に送出する。
【０１０１】
制御機３の制御機ＣＰＵ３２は、ナースコール子機１の子機ＣＰＵ１５から廊下灯５を経由して伝送されてきた当該端末のＩＤ（「ＨＰ０１」）および子機ＩＤ（「１」）を受信すると、図４（ａ）の被看護人情報テーブルに示すように当該子機に割当てられた被看護人識別ＩＤ（「０００１」）を図４（ｂ）の医療・看護従事者情報テーブルに示すように当該端末ＩＤ（「ＨＰ０１」）に割当てられた医療・看護従事者識別ＩＤ（「ＮＳ０１」）に対応させて図４（ｃ）の巡視情報テーブルに示すように医療・看護従事者による巡視記録として制御機記憶部３１に保存する。
【０１０２】
以上の説明から明らかなように、本発明の第１の実施例によれば、施設内を移動中の医療・看護従事者により携帯された携帯情報端末４が有する端末無線タグ４４に予め記憶されている端末ＩＤをナースコール子機１の子機データ読取部１３に読取らせることで、制御機３の制御機記憶部３１に巡視記録を自動的に保存することができる。従って、本発明のナースコールシステムによれば、ナースコールシステムそのものの動作との有機的な連携を図ることで、現場において所定の入力操作をすることなく自動的に巡視記録を保存することができる。また、医療・看護従事者がスマートフォン等の高機能通信端末を携帯することで、当該医療・看護従事者の施設内での動きを、病室等で自動的にキャッチすることができる。
［第２の動作例］
図２（ｂ）は、本発明の他の実施例に係るナースコール子機１および携帯情報端末４のブロック図を示している、
この実施例においては、図２（ａ）に示すナースコール子機１の子機データ読取部１３に代えて、それ自身に子機ＩＤが予め記憶されている無線タグ（以下「子機無線タグ」という。）１４が設けられている。また、図２（ａ）に示す携帯情報端末４の端末無線タグ４４に代えて、端末データ読取部４５が設けられている。
【０１０３】
なお、端末データ読取部４５は、ナースコール子機１の子機無線タグ１４に予め記憶されている子機ＩＤ、後述する廊下灯５の廊下灯無線タグ５５に予め記憶されている廊下灯ＩＤ及び後述する情報表示機７の表示機無線タグ７３に予め記憶されている端末ＩＤのうち、少なくとも１のＩＤを読出すとともに、後述する被看護人が携帯するリストバンド等の無線タグ１０に予め記憶されている被看護人識別ＩＤを読取るものである。
【０１０４】
この実施例においては、待受状態において、医療・看護従事者（例えば「山田花子」）が巡視のために被看護人（例えば「鈴木太郎」）のベッド近傍に赴き、被看護人（「鈴木太郎」）に異状がないことを確認すると、当該医療・看護従事者は自己の携帯している携帯情報端末４をナースコール子機１の子機無線タグ１４に近づける。
【０１０５】
ナースコール子機１の子機無線タグ１４が接近したことを検知した端末データ読取部４５は、子機無線タグ１４から当該被看護人（「鈴木太郎」）に係る子機ＩＤ（「１」）を読取る。
【０１０６】
端末ＣＰＵ４６は、端末データ読取部４５にて読取られた当該ナースコール子機１のＩＤ（「１」）を自端末ＩＤ（「ＮＳ０１」）と共に基地局８、基地局ラインＬ５、交換機９、交換機ラインＬ４、制御機３の交換機側制御機Ｉ／Ｆ３５を経由して制御機ＣＰＵ３２に送出する。
【０１０７】
制御機３の制御機ＣＰＵ３２は、携帯情報端末４の端末ＣＰＵ４６から基地局８、交換機９を経由して伝送されてきた当該ナースコール子機１のＩＤ（「１」）および自端末ＩＤ（「ＮＳ０１」）を受信すると、第１の動作例と同様に、当該子機に割当てられた当該被看護人識別ＩＤ（「０００１」）を当該端末ＩＤに割当てられた医療・看護従事者識別ＩＤ（「ＮＳ０１」）に対応させて図４（ｃ）に示すように医療・看護従事者による巡視記録（巡視情報テーブル）として制御機記憶部３１に保存する。
【０１０８】
以上のように、この動作例においても、ナースコール子機１が有する子機無線タグ１４に予め記憶されている端末ＩＤを施設内を移動中の医療・看護従事者により携帯された携帯情報端末４の端末データ読取部４５に読取らせることで、第１の動作例と同様に、制御機３の制御機記憶部３１に巡視記録を自動的に保存することができる。従って、この実施例においても、第１の動作例と同様に、ナースコールシステムそのものの動作との有機的な連携を図り、自動的に巡視結果を記録することができる。
［第３の動作例］
次に、ナースコール子機１を用いた被看護人からの呼出状態時に、呼出状態を待受状態に復旧させる動作について説明する。
【０１０９】
先ず、この動作例においては、ナースコール呼出しが終了しても、通話状態が維持されるように構成されている。すなわち、ナースコール呼出しが緊急度の低い通常呼出の場合は、被看護人からのナースコール呼出しに医療・看護従事者が応答操作することで、呼出状態が待受状態に復旧するように構成されているところ（完全復旧）、この動作例においては、ナースコール呼出しがトイレコール等の緊急度の高い緊急呼出の場合は、被看護人からのナースコール呼出しに医療・看護従事者が応答操作することで、呼出発報（発報表示）は停止するものの、呼出表示は継続するように設定されている。すなわち、医療・看護従事者が応答操作しただけでは待受状態に復旧せず、完全に復旧した場合に呼出発報（発報表示）が停止するように設定されている。
【０１１０】
このように構成されたナースコールシステムにおいて、ナースコール子機１を用いた被看護人からの緊急呼出しがあり、この緊急呼出しの継続中に、被看護人（例えば「鈴木太郎」）と被看護人の担当である施設内を巡回中の医療・看護従事者（例えば「山田花子」）が被看護人（「鈴木太郎」）との間で応答し、当該医療・看護従事者が前述のような呼出元である被看護人のところに赴き、例えば被看護人に異状がないことを確認すると、医療・看護従事者（「山田花子」）は自己の携帯している携帯情報端末４をナースコール子機１の子機データ読取部１３に近づけることで、前述の第１の動作例と同様にして、図４（ｃ）に示すような巡視記録を制御機記憶部３１に保存することができるとともに、呼出発報（発報表示）が停止する。
【０１１１】
この場合、図２（ｂ）に示すように、ナースコール子機１が有する子機無線タグ１１に予め記憶されている端末ＩＤを施設内を移動中の医療・看護従事者により携帯された携帯情報端末４の端末データ読取部４５に読取らせることでも、第２の動作例と同様にして、図４（ｃ）に示すような巡視記録を制御機記憶部３１に保存することができる。
【０１１２】
以上の説明から明らかなように、本発明の第３の動作例によれば、制御機３の制御機ＣＰＵ３２は、ナースコール子機１を用いた被看護人からの呼出状態時に端末ＩＤ及び子機ＩＤを受信したときに、呼出状態を待受状態に復旧させることができ、ひいては、ナースコール呼出しに対応した巡視記録を自動的にかつ確実に保存することができる。
［第４の動作例］
次に、医療・看護従事者が巡視のために被看護人（例えば「鈴木太郎」）の居る部屋の出入り口近傍に設置された廊下灯５の近傍に赴いた場合の動作について説明する。
【０１１３】
先ず、図５に基づいて、廊下灯５、５、・・・の具体的な構成について説明する。なお、同図において、図２と共通する部分には同一の符号を付して詳細な説明を省略する。
【０１１４】
図５（ａ）において、各廊下灯５、５、・・・はそれぞれ廊下灯表示部５１、廊下灯操作部５２、廊下灯通話部５３、廊下灯データ読取部５４、廊下灯ＣＰＵ５６、子機側廊下灯Ｉ／Ｆ５７及び制御機側廊下灯Ｉ／Ｆ５８を備えている。
【０１１５】
この廊下灯５において、廊下灯表示部５１は、ナースコール子機１、１、・・・を用いた被看護人からのナースコール呼出しがあることを表示（呼出表示）するものであり、例えば、ＬＣＤ、有機ＥＬディスプレイ等の各種の表示媒体で構成されている。
【０１１６】
廊下灯操作部５２は、当該廊下灯５の周囲近傍に居る看護人により操作されるものであり、例えば、廊下灯表示部５１の前面に設置されたタッチパネルや所定の操作ボタンで構成されている。
【０１１７】
廊下灯通話部５３は、当該廊下灯５の周囲近傍に居る看護人が被看護人又は他の看護人との間で通話を成立させる音声を送受信するものであり、例えば、マイク及びスピーカで構成されている。ここで、廊下灯通話部５３を構成するスピーカは、前述のようなナースコール呼出しがあることを報知する呼出音や音声メッセージ等を出力することもできる。
【０１１８】
廊下灯データ読取部５４は、携帯情報端末４の端末無線タグ４４に予め記憶されている端末ＩＤを読出すとともに、被看護人が携帯するリストバンド等の無線タグ１０に予め記憶されている被看護人識別ＩＤを読取るものである。
【０１１９】
廊下灯ＣＰＵ５６は、当該廊下灯５の構成各部を制御するものである。
【０１２０】
また、子機側廊下灯Ｉ／Ｆ５７は、廊下灯ＣＰＵ５６および子機ラインＬ１間の信号伝送路、制御機側廊下灯Ｉ／Ｆ５８は、廊下灯通話部５３及び廊下灯ラインＬ２間の信号伝送路、廊下灯ＣＰＵ５６および廊下灯ラインＬ２間の信号伝送路をそれぞれ形成するものである。
【０１２１】
この動作例においては、待受状態において、施設内を移動中の医療・看護従事者（例えば、山田花子）が巡視のために被看護人（例えば「鈴木太郎」）の居る部屋の出入り口近傍に設置された廊下灯５の近傍に赴いて、被看護人（例えば「鈴木太郎」）に異状がないことを確認すると、医療・看護従事者（例えば「山田花子」）は自己が携帯している携帯情報端末４を廊下灯５の廊下灯データ読取部５４に近づける。
【０１２２】
携帯情報端末４の端末無線タグ４４が接近したことを検知した廊下灯データ読取部５４は、端末無線タグ４４から当該医療・看護従事者の医療・看護従事者識別ＩＤ（「ＮＳ０１」）を読取る。
【０１２３】
廊下灯ＣＰＵ５６は、廊下灯データ読取部５４にて読取られた当該端末のＩＤ（「ＨＰ０１」）を自廊下灯ＩＤ（「２０１」）と共に自部屋の出入り口近傍に設置された廊下灯５、廊下灯ラインＬ２、制御機３の廊下灯側制御機Ｉ／Ｆ３３を経由して制御機ＣＰＵ３２に送出する。
【０１２４】
制御機３の制御機ＣＰＵ３２は、廊下灯５の廊下灯ＣＰＵ５６から伝送されてきた当該端末のＩＤ（「ＨＰ０１」）および廊下灯ＩＤ（「２０１」）を受信すると、図４に示すように、当該廊下灯に割当てられた被看護人識別ＩＤ（「０００１」）を当該端末ＩＤ（「ＨＰ０１」）に割当てられた医療・看護従事者識別ＩＤ（「ＮＳ０１」）に対応させて図４（ｃ）に示すように医療・看護従事者による巡視記録(巡視情報テーブル）として制御機記憶部３１に保存する。
【０１２５】
以上の説明から明らかなように、本発明の第４の動作例においても、施設内を移動中の医療・看護従事者により携帯された携帯情報端末４が有する端末無線タグ４４に予め記憶されている端末ＩＤを廊下灯５の廊下灯データ読取部５４に読取らせることで、制御機３の制御機記憶部３１に巡視記録を自動的に保存することができる。従って、この動作例においても、第１の動作例と同様に、ナースコールシステムそのものの動作との有機的な連携を図ることで、現場において所定の入力操作をすることなく自動的に巡視記録を保存することができる。
［第５の動作例］
図５（ｂ）は、本発明の他の実施例に係る携帯情報端末４および廊下灯５のブロック図を示している、なお、図２（ａ）および図５（ａ）と共通する部分には同一の符号を付して詳細な説明を省略する。
【０１２６】
この実施例においては、図５（ａ）に示す廊下灯５の廊下灯データ読取部５４に代えて、それ自身に廊下灯ＩＤが予め記憶されている無線タグ（以下「廊下灯無線タグ」という。）５５が設けられている。また、図５（ａ）に示す携帯情報端末４の端末無線タグ４４に代えて、端末データ読取部４５が設けられている。なお、端末データ読取部４５は、廊下灯５の廊下灯無線タグ５５に予め記憶されている廊下灯ＩＤを読み出すとともに、被看護人が携帯するリストバンド等の無線タグ１０に予め記憶されている被看護人識別ＩＤを読み取るものである。
【０１２７】
この実施例においても、待受状態において、医療・看護従事者（例えば「山田花子」）が巡視のために被看護人（例えば「鈴木太郎」）の居る部屋の出入り口近傍に設置された廊下灯５の近傍に赴き、被看護人（「鈴木太郎」）に異状がないことを確認すると、医療・看護従事者は自己の携帯している携帯情報端末４を廊下灯５の廊下灯無線タグ５５に近づける。
【０１２８】
廊下灯５の廊下灯無線タグ５５が接近したことを検知した端末データ読取部４５は、廊下灯無線タグ５５から当該被看護人「鈴木太郎」）に係る廊下灯ＩＤ（「２０１」）を読取り、自己の医療・看護従事者識別ＩＤ（「ＮＳ０１」）とともに前述の第２の動作例と同様にして、基地局８、交換機９を介して制御機３に転送する。
【０１２９】
制御機３の制御機ＣＰＵ３２は、携帯情報端末４の端末ＣＰＵ４６から基地局８、交換機９を経由して伝送されてきた当該廊下灯５のＩＤ（「２０１」）および自端末ＩＤ（「ＮＳ０１」）を受信すると、図４に示すように、当該廊下灯に割当てられた当該被看護人識別ＩＤ（「０００１」）を当該端末ＩＤに割当てられた医療・看護従事者識別ＩＤ（「ＮＳ０１」）に対応させて医療・看護従事者による巡視記録として制御機記憶部３１に保存する。
【０１３０】
以上のように、この動作例においても、廊下灯５が有する廊下灯無線タグに予め記憶されている廊下灯ＩＤを施設内を移動中の医療・看護従事者により携帯された携帯情報端末４の端末データ読取部４５に読取らせることで、第２の動作例と同様に、制御機３の制御機記憶部３１に巡視記録を自動的に保存することができる。従って、この動作例においても、第２の動作例と同様に、ナースコールシステムそのものの動作との有機的な連携を図り、自動的に巡視結果を記録することができる。また、医療・看護従事者がスマートフォン等の高機能通信端末を携帯することで、当該医療・看護従事者の施設内での動きを、廊下灯５等で自動的にキャッチすることができる。
［第６の動作例］
次に、ナースコール子機１を用いた被看護人からの呼出状態時に端末ＩＤ及び廊下灯ＩＤを受信し、呼出状態を待受状態に復旧させる動作について説明する。
【０１３１】
先ず、この動作例においては、第３の動作例と同様に、医療・看護従事者が応答操作しただけでは待受状態に復旧せず、完全に復旧した場合に呼出発報（発報音）が停止するように設定されている。
【０１３２】
このように構成されたナースコールシステムにおいて、ナースコール子機１を用いた被看護人からの緊急呼出しがあり、この緊急呼出しの継続中に、被看護人（例えば「鈴木太郎」）と被看護人の担当である施設内を巡回中の医療・看護従事者（例えば「山田花子」）が被看護人（「鈴木太郎」）との間で応答し、当該医療・看護従事者が被看護人（鈴木太郎）の居る部屋の出入り口近傍に設置された廊下灯５の近傍に赴き、被看護人に異状がないことを確認すると、医療・看護従事者（「山田花子」）は自己の携帯している携帯情報端末４を廊下灯５の廊下灯データ読取部５４に近づけることで、前述の第３の動作例と同様にして、図４（ｃ）に示すような巡視記録を制御機記憶部３１に保存することができるとともに、呼出発報（発報表示）が停止する。なお、一つの廊下灯５で複数のナースコール子機１の呼出発報（発報表示）が停止していなかった場合は、全て停止する。
【０１３３】
この場合、図５（ｂ）に示すように、廊下灯５が有する廊下灯無線タグ５５に予め記憶されている廊下灯ＩＤ（「２０１」）を施設内を移動中の医療・看護従事者により携帯された携帯情報端末４の端末データ読取部４５に読取らせることでも、第３の動作例と同様にして、図４（ｃ）に示すような巡視記録(巡視情報テーブル）を制御機記憶部３１に保存することができる。
【０１３４】
以上の説明から明らかなように、本発明の第６の動作例によれば、制御機３の制御機ＣＰＵ３２は、ナースコール子機１を用いた被看護人からの呼出状態時に端末ＩＤ及び廊下灯ＩＤを受信したときに、呼出状態を待受状態に復旧させることができることから、第３の動作例と同様に、ナースコール呼出しに対応した巡視記録を自動的にかつ確実に保存することができる。
［実施例２］
図６は、本発明の第２の実施例によるナースコールシステムの全体構成を示している。
【０１３５】
先ず、この実施例においては、図６に示すように、図１に示すナースコールシステムに、更に、施設内共用部に設置され記憶部６１を有するサーバ６と、医療・看護施設内の複数の部屋の病床毎に設置される情報表示機７、７、・・・とが備えられている。
【０１３６】
ここで、各情報表示機７、７、・・・は、それぞれ情報表示機ラインＬ７を経由してサーバ６に接続され、サーバ６には、サーバラインＬ６を経由して制御機３が接続されている。なお、複数の情報表示機７、７、・・・及びサーバ６間の接続は、図示のような渡り配線の接続に限定されるものではなく、例えば、バス接続とすることもできる。
【０１３７】
ここで、各情報表示機７、７、・・・は、被看護人に係る治療情報や施設案内等の被看護人用閲覧情報を表示するものである。
【０１３８】
サーバ６は、各情報表示機７、７、・・・を制御するにあたって、記憶部６１に、被看護人の疾患情報、治療・検査・手術オーダ情報、電子カルテ等の被看護人情報や食事管理情報が記憶されるものである。
【０１３９】
次に、図７に基づいて、情報表示機７の具体的な構成について説明する。なお、同図において、図１および図２と共通する部分には同一の符号を付して詳細な説明を省略する。
【０１４０】
図７（ａ）において、各情報表示機７、７、・・・は、それぞれ同様の構成とされ、それぞれ表示機表示部７１、表示機データ読取部７２、表示機ＣＰＵ７４及び表示機Ｉ／Ｆ７５を備えている。
【０１４１】
この情報表示機７において、表示機表示部７１は、被看護人に係る治療情報や施設案内等の被看護人用閲覧情報を表示するものであり、例えば、ＬＣＤ、有機ＥＬディスプレイ等の各種の表示媒体で構成されている。
【０１４２】
表示機データ読取部７２は、携帯情報端末４の端末無線タグ４４に予め記憶されている端末ＩＤを読出すとともに、被看護人が携帯するリストバンド等の無線タグ１０に予め記憶されている被看護人識別ＩＤを読取るものである。
【０１４３】
表示機ＣＰＵ７４は、当該携帯情報端末の構成各部を制御するものである。
【０１４４】
また、表示機Ｉ／Ｆ７５は、表示機ＣＰＵ７４及びサーバ６間の信号伝送路を形成するものである。
［第７の動作例］
次に、医療・看護従事者が巡視のために被看護人の病床に設置された情報表示機７に赴いた場合の動作について説明する。
【０１４５】
この実施例においては、待受状態において、施設内を移動中の医療・看護従事者（例えば、「山田花子）が巡視のために被看護人（例えば「鈴木太郎」）の居る部屋の情報表示機７の近傍に赴いて、被看護人（例えば「鈴木太郎」）に異状がないことを確認すると、医療・看護従事者（例えば、「山田花子」）は自己が携帯している携帯情報端末４を情報表示機７の表示機データ読取部７２に近づける。
【０１４６】
携帯情報端末４の端末無線タグ４４が接近したことを検知した表示機データ読取部７２は、端末無線タグ４４から当該医療・看護従事者の医療・看護従事者識別ＩＤ（「ＮＳ０１」）を読取り、自己の表示機ＩＤ（「Ｄ０１」）とともに表示機ラインＬ７、サーバ６、サーバラインＬ６、制御機３のサーバ側制御機Ｉ／Ｆ３６を経由して制御機ＣＰＵ３２に送出する。
【０１４７】
制御機３の制御機ＣＰＵ３２は、サーバ６から伝送されてきた当該表示機のＩＤ（「Ｄ０１」）を受信すると、図４に示すように、当該情報表示機に割当てられた被看護人識別ＩＤ（「０００１」）を当該端末ＩＤ（「ＨＰ０１」）に割当てられた医療・看護従事者識別ＩＤ（「ＮＳ０１」）に対応させて図４（ｃ）に示すように医療・看護従事者による巡視記録（巡視情報テーブル）として制御機記憶部３１に保存する。
【０１４８】
以上の説明から明らかなように、本発明の第７の動作例においても、施設内を移動中の医療・看護従事者により携帯された携帯情報端末４が有する端末無線タグ４４に予め記憶されている表示機ＩＤを情報表示機７の表示機データ読取部７２に読取らせることで、制御機３の制御機記憶部３１に巡視記録を自動的に保存することができる。従って、この動作例においても、第１の動作例と同様に、ナースコールシステムそのものの動作との有機的な連携を図ることで、現場において所定の入力操作をすることなく自動的に巡視記録を保存することができる。
［第８の動作例］
図７（ｂ）は、本発明の他の実施例に係る携帯情報端末４および情報表示機７のブロック図を示している、なお、図２（ａ）および図７（ａ）と共通する部分には同一の符号を付して詳細な説明を省略する。
【０１４９】
この実施例においては、図７（ａ）に示す情報表示機７の表示機データ読取部７２に代えて、それ自身に表示機ＩＤが予め記憶されている無線タグ（以下「表示機無線タグ」という。）７３が設けられている。また、図７（ａ）に示す携帯情報端末４の端末無線タグ４４に代えて、端末データ読取部４５が設けられている。なお、端末データ読取部４５は、情報表示機７の表示機無線タグ７３に予め記憶されている表示機ＩＤを読み出すとともに、被看護人が携帯するリストバンド等の無線タグ１０に予め記憶されている被看護人識別ＩＤを読み取るものである。
【０１５０】
この動作例においても、待受状態において、医療・看護従事者（例えば「山田花子」）が巡視のために被看護人（例えば「鈴木太郎」）の居る部屋に設置された情報表示機７の近傍に赴き、被看護人（「鈴木太郎」）に異状がないことを確認すると、医療・看護従事者（「山田花子」）は自己の携帯している携帯情報端末４を情報表示機７の表示機無線タグ７３に近づける。
【０１５１】
情報表示機７の表示機無線タグ７３が接近したことを検知した端末データ読取部４５は、表示機無線タグ７３から当該被看護人「鈴木太郎」）に係る表示機ＩＤ（「Ｄ０１」）を読取り、自己の医療・看護従事者識別ＩＤ（「ＮＳ０１」）とともに前述の第２の動作例と同様にして基地局８、交換機９を介して制御機３に転送する。
【０１５２】
制御機３の制御機ＣＰＵ３２は、携帯情報端末４の端末ＣＰＵ４６から基地局８、交換機９を経由して伝送されてきた当該情報表示機７のＩＤ（「Ｄ０１」）および自端末ＩＤ（「ＨＰ０１」）を受信すると、図４に示すように、当該情報表示に割当てられた当該被看護人識別ＩＤ（「０００１」）を当該端末ＩＤに割当てられた医療・看護従事者識別ＩＤ（「ＮＳ０１」）に対応させて図４（ｃ）に示すように医療・看護従事者による巡視記録(巡視情報テーブル）として制御機記憶部３１に保存する。
【０１５３】
以上のように、この動作例においても、情報表示機７が有する表示機無線タグに予め記憶されている表示機ＩＤを、施設内を移動中の医療・看護従事者により携帯された携帯情報端末４の端末データ読取部４５に読取らせることで、第２の動作例２と同様に、制御機３の制御機記憶部３１に巡視記録を自動的に保存することができる。従って、この動作例においても、第２の動作例と同様に、ナースコールシステムそのものの動作との有機的な連携を図り、自動的に巡視結果を記録することができる。
［第９の動作例］
次に、ナースコール子機１を用いた被看護人からの呼出状態時に端末ＩＤ及び表示機ＩＤを受信し、呼出状態を待受状態に復旧させる動作について説明する。
【０１５４】
先ず、この動作例においては、第３の動作例と同様に、医療・看護従事者が応答操作しただけでは待受状態に復旧せず、完全に復旧した場合に呼出発報（発報音）が停止するように設定されている。
【０１５５】
このように構成されたナースコールシステムにおいて、ナースコール子機１を用いた被看護人からの緊急呼出しがあり、この緊急呼出しの継続中に、例えば、被看護人（「鈴木太郎」）と被看護人の担当である施設内を巡回中の医療・看護従事者（「山田花子」）が被看護人（「鈴木太郎」）との間で応答し、当該医療・看護従事者が被看護人（例えば鈴木太郎）の居る部屋の情報表示機７の近傍に赴いて、例えば被看護人に異状がないことを確認すると、医療・看護従事者（「山田花子」）は自己の携帯している携帯情報端末４を情報表示機７の表示機データ読取部７２に近づけることで、前述の第８の動作例と同様にして、図４（ｃ）に示すような巡視記録を制御機記憶部３１に保存することができるとともに、表示機ＩＤ（「Ｄ０１」）に対応する廊下灯ＩＤ（「２０１」）、子機ＩＤ（「１」）の呼出発報（発報表示）が停止する。
【０１５６】
この場合、図７（ｂ）に示すように、情報表示機７が有する表示機無線タグ７３に予め記憶されている表示機ＩＤ（「Ｄ０１」）を、施設内を移動中の医療・看護従事者により携帯された携帯情報端末４の端末データ読取部４５に読取らせることでも、第３の動作例と同様にして、図４（ｃ）に示すような巡視記録を制御機記憶部３１に保存することができる。
【０１５７】
以上の説明から明らかなように、本発明の第９の動作例によれば、制御機３の制御機ＣＰＵ３２は、ナースコール子機１を用いた被看護人からの呼出状態時に端末ＩＤ及び表示機ＩＤを受信したときに、呼出状態を待受状態に復旧させることができることから、第３の動作例と同様に、ナースコール呼出しに対応した巡視記録を自動的にかつ確実に保存することができる。
［実施例３］
次に、被看護人（例えば「鈴木太郎」）の手首に巻かれたリストバンドの無線タグ１０に予め記憶されている被看護人識別ＩＤを読取る場合の動作について説明する。
［第１０の動作例］
先ず、この実施例においては、制御機３の制御機記憶部３１は、電子カルテ保存機能を有しており、当該制御機３の制御機記憶部３１に医療・看護従事者による被看護人への処置内容や処置時刻等の看護処置情報を保存することができるように構成されている。
【０１５８】
このように構成されたナースコールシステムにおいて、待受状態において、医療・看護従事者（例えば「山田花子」）が巡視のために被看護人（例えば「鈴木太郎」）のベッド近傍に赴き、当該被看護人（「鈴木太郎」）に係るナースコール子機１の子機無線タグ１４に医療・看護従事者（「山田花子」）の携帯情報端末４の端末データ読取部４５を近づけると、ナースコール子機１の子機無線タグ１４が接近したことを検知した携帯情報端末４の端末データ読取部４５は、子機無線タグ１４から当該ベッドの子機ＩＤ（「１」）を読取る。
【０１５９】
子機ＩＤを読み込んだ携帯情報端末４は、図８（ａ）に示すように、携帯情報端末４の端末表示部４１に、「被看護人のリストバンドから被看護人ＩＤを読出してください」というメッセージを表示する。
【０１６０】
メッセージを確認した医療・看護従事者（「山田花子」）は、被看護人のリストバンドに携帯情報端末４の端末データ読取部４５を近づけると、リストバンドのバンド無線タグ１０から被看護人識別ＩＤ（「０００１」）を読み込む。
【０１６１】
被看護人識別ＩＤを読み込んだ携帯情報端末４は、当該被看護人識別ＩＤと子機ＩＤを、前述の第２の動作例における被看護人識別ＩＤと子機ＩＤと同様の信号伝送路を経由して制御機３に転送する。
【０１６２】
被看護人識別ＩＤと子機ＩＤを受信した制御機３は、図４（ａ）に示す被看護人識別テーブルから被看護人識別ＩＤと子機ＩＤの関連づけを確認し、関連づけた内容が予め制御機３に記憶された内容と一致していることを認識すると、携帯情報端末４に対して、患者が正規のベッドに居る旨を通知する。
【０１６３】
被看護人が正規のベッドに居ることを確認した携帯情報端末４は、図８（ｂ）に示すように、端末表示部４１に、「処置内容を選択してください」というメッセージとともに、処置内容の候補のリストを表示する。
【０１６４】
メッセージを確認した医療・看護従事者（「山田花子」）は、リストから処置内容を選択すると、携帯情報端末４は、選択した処置内容を、携帯情報端末４に予め登録された医療・看護従事者識別ＩＤと前記のバンド無線タグから読み込んだ被看護人識別ＩＤとともに前述の被看護人識別ＩＤと子機ＩＤと同様の信号伝送路を経由して制御機３に送信する。
【０１６５】
処置内容、医療・看護従事者識別ＩＤ、被看護人識別ＩＤを受信した制御機３は、受信したデータから制御機記憶部３１に内蔵されている電子カルテに当該医療・看護従事者識別ＩＤの医療・看護従事者（「山田花子」）が当該被看護人識別ＩＤを有する被看護人（「鈴木太郎」）に処置内容に記された処置を行なったことをデータ受信時刻とともに記録する。
【０１６６】
以上の説明から明らかなように、本発明の第１０の動作例によれば、医療・看護従事者が被看護人の無線タグを携帯情報端末に読み取らせることにより、巡視記録に被看護人ＩＤを記録することができ、また、食堂等の共用部で被看護人の呼出しに対応した場合にも被看護人ごとの記録を取ることができる。さらに、被看護人ＩＤと医療・看護従事者識別ＩＤを対応させて電子カルテに処置内容をあわせて記憶することにより、看護記録を容易に構築することができる。また、制御機３が被看護人識別ＩＤと子機ＩＤの関連づけの不一致を検出した場合には、携帯情報端末４あるいはナースコール親機２から被看護人識別ＩＤ異常の警報を鳴動することにより、患者の取り違えを防ぐこともできる。
【０１６７】
ここで、前述の実施例では、ナースコール子機１の子機データ読取部１３で医療・看護従事者識別ＩＤを読み取っているが、廊下灯５の廊下灯データ読取部５４、情報表示機７の表示機データ読取部７２で医療・看護従事者識別ＩＤを読み取っても同様の効果を奏する。特に、情報表示機７で医療・看護従事者識別ＩＤを読み取った場合には、図８に示す携帯情報端末４でのメッセージ表示、処置内容の選択に代えて、情報表示機７を用いてメッセージ表示、処置内容の選択を行なうこともできる。これにより、大きな画面で確認、選択ができるため、作業が容易となる。
【産業上の利用可能性】
【０１６８】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【０１６９】
具体的には、次のような機能を付加することができる。
【０１７０】
第１に、制御機３制御機記憶部３１に、電子カルテ保存機能を備えることができる。この場合は、制御機３制御機記憶部３１に、医療・看護従事者による被看護人への処置内容や処置時刻等の看護処置情報を保存することができる。
【０１７１】
第２に、前述の看護処置情報は、前述の制御機３の制御機記憶部３１に代えてサーバに保存させることもできる。この場合は、データの一元管理を容易に行うことができる。
【０１７２】
第３に、前述の制御機３の制御機ＣＰＵ３２に、巡視記録をパーソナルコンピュータなど他の機器で読みだし可能な状態に変換する機能を搭載し、当該制御機３設けられた通信ＩＦを経由して、上記の変換された巡視記録をパーソナルコンピュータなど他の機器に転送することもできる。また、前述のナースコール親機２は、上記の変換された巡視記録を表示する表示部を備えることもできる。この場合は、スタッフステーション内に居る医療・看護従事者が巡視記録を閲覧することができる。この場合は、医療・看護従事者がスマートフォン等の高機能通信端末を携帯することで、当該医療・看護従事者の施設内での動きを、廊下灯等で自動的にキャッチすることができる。また、スマートフォン等の高機能通信端末を携帯する医療・看護従事者と施設内に設置された廊下灯等との距離が一定の近距離になることで、ナースコール親機で被看護人への処置または対応履歴として自動的に保存することができる。さらに、当該履歴データは、勤務スケジュールの立案、ナースコール呼出しからの対応時間の算出等に活用することができる。
【０１７３】
第５に、前述の実施例において、廊下灯５に廊下灯データ読取部５４を備え、かつ廊下灯５に複数のナースコール子機１が接続されている場合には、当該廊下灯５に接続されている全てのナースコール子機１で巡視が完了したものとみなすとともに、当該廊下灯５及び当該廊下灯５に接続されている全てのナースコール子機１に対応するナースコール親機２の表示灯（不図示）を消灯させることができる。
【０１７４】
第６に、廊下灯５に廊下灯無線タグ５５を備え、かつ廊下灯５に複数のナースコール子機１が接続されている場合には、リストバンドの無線タグから読み込んだ被看護人識別ＩＤをもとに制御機３４が被看護人識別ＩＤと子機ＩＤの関連づけを確認し、廊下灯５に接続されたナースコール子機１のうち対象となるナースコール子機１を特定することで前述と同様の動作することができる。
【符号の説明】
【０１７５】
１・・・ナースコール子機
１４・・・子機データ読取部
１５・・・子機ＣＰＵ
２・・・ナースコール親機
３・・・制御機
３１・・・制御機記憶部
３２・・・制御機ＣＰＵ
４・・・携帯情報端末
４５・・・端末データ読取部
４６・・・端末ＣＰＵ
５・・・廊下灯
５５・・・廊下灯データ読取部
５６・・・廊下灯ＣＰＵ
６・・・サーバ
７・・・情報表示機
７３・・・表示機データ読取部
７４・・・表示機ＣＰＵ
１０・・・リストバンド等の無線タグ
【図１】
2014087524.tif 000003
【図２】
2014087524.tif 000004
【図３】
2014087524.tif 000005
【図４】
2014087524.tif 000006
【図５】
2014087524.tif 000007
【図６】
2014087524.tif 000008
【図７】
2014087524.tif 000009
【図８】
2014087524.tif 000010